(57)【要約】【課題】フィルターを小型化することができる空気調和機の室内機を提供する。【解決手段】空気調和機の室内機２は、室内熱交換器６と、室内熱交換器６を収納する内部空間７５と内部空間７５に吸い込まれる空気が通る内部吸込み口７９とを有する前面グリル７４と、前面パネル７２と、送風ファン５と、フィルター８とを備える。内部吸込み口７９を覆うように前面グリル７４に取り付けられて、前面グリル７４との間に内部吸込み口７９よりも小さい断面積を有する空気通路９２を形成し、空気通路９２へ吸い込まれる空気が通る前部吸込み口９４を有する。送風ファン５は、外部から前部吸込み口９４を通って空気通路９２へ吸い込まれ、空気通路９２から内部吸込み口７９を通って内部空間７５へと吸い込まれる空気の流れを生成する。フィルター８は、空気通路９２において前面グリル７４と前面パネル７２との間に亘って設けられる。【選択図】図２
2007205676.tif 000002
【特許請求の範囲】
【請求項１】
通過する空気との間で熱交換を行う熱交換器（６）と、
前記熱交換器（６）を収納する内部空間（７５）と、前記内部空間（７５）に吸い込まれる空気が通る内部吸込み口（７９）とを有する本体ケーシング（７１）と、
前記内部吸込み口（７９）を覆うように前記本体ケーシング（７１）に取り付けられて前記本体ケーシング（７１）との間に前記内部吸込み口（７９）よりも小さい断面積を有する空気通路（９２）を形成し、前記空気通路（９２）へ吸い込まれる空気が通る第１外部吸込み口（９４）を有するパネル部（７２）と、
外部から前記第１外部吸込み口（９４）を通って前記空気通路（９２）へ吸い込まれ、前記空気通路（９２）から前記内部吸込み口（７９）を通って前記内部空間（７５）へと吸い込まれる空気の流れを生成する送風装置（５）と、
前記空気通路（９２）において前記本体ケーシング（７１）と前記パネル部（７２）との間に亘って設けられるフィルター（８）と、
を備える空気調和機（１）の室内機（２）。
【請求項２】
前記本体ケーシング（７１）は、外部から前記内部空間（７５）に吸い込まれる空気が通る第２外部吸込み口（９１）を有しており、
前記フィルター（８）は、前記第２外部吸込み口（９１）に沿って設けられる第１フィルター部（８２）と、前記第１フィルター部（８２）と一体に繋がっており前記空気通路（９２）において前記本体ケーシング（７１）と前記パネル部（７２）との間に亘って設けられる第２フィルター部（８３）とを有する、
請求項１に記載の空気調和機（１）の室内機（２）。
【請求項３】
前記内部吸込み口（７９）は、前記本体ケーシング（７１）の前面に設けられており、
前記パネル部（７２）は、前記内部吸込み口（７９）の前方に前記内部吸込み口（７９）の高さ方向寸法よりも小さな距離を隔てて設けられている、
請求項１または２に記載の空気調和機（１）の室内機（２）。
【請求項４】
前記フィルター（８）は、前記本体ケーシング（７１）に固定されており、
前記フィルター（８）の先端は、本体ケーシング（７１）の表面から離れて設けられ前記パネル部（７２）に当接している、
請求項１から３のいずれかに記載の空気調和機（１）の室内機（２）。
【発明の詳細な説明】
【技術分野】
【０００１】
本発明は、空気調和機の室内機に関する。
【背景技術】
【０００２】
空気調和機の室内機には、本体ケーシングにパネル部が取り付けられ、外部の空気が本体ケーシングとパネル部との間に形成された空気通路を通った後に、本体ケーシングの内部空間に吸い込まれるものがある。例えば、特許文献１に記載の空気調和機の室内機では、ケーシングの前面に開口が設けられており、この開口を覆うようにフロントパネルが取り付けられている。また、フロントパネルの上部には吸込み口が設けられている。外部の空気は、フロントパネルの吸込み口を通ってフロントパネルとケーシングとの間の空気通路に吸い込まれ、ケーシング前面の開口を通ってケーシングの内部空間に吸い込まれる。
【特許文献１】特開２００５−６９５４４号公報
【発明の開示】
【発明が解決しようとする課題】
【０００３】
一般に、空気調和機の室内機では、通過する空気を清浄化するためにフィルターが設けられるが、上記のような空気調和機の室内機では、フィルターは、本体ケーシングの開口を覆うように本体ケーシングに沿って設けられている。例えば、図４に示すように、前面に開口１０２が設けられた本体ケーシング１０１にフィルター１０３が取り付けられる場合、まず、フィルター１０３の上端が開口１０２から天面の吸込み口１０５の内側に挿入される。そして、フィルター１０３を本体ケーシング１０１の前面の形状に沿って湾曲させて開口１０２の前側に取り付け、次に、フィルター１０３の下端を本体ケーシング１０１の開口１０２の下方部に差し込む。これにより、フィルター１０３が開口１０２を覆うように本体ケーシング１０１に取り付けられる。
【０００４】
このようなフィルターにより、本体ケーシングの内部空間に吸い込まれる空気を清浄化することができるが、その一方で、フィルターが大型化することによりコストの増大を招く恐れがある。コスト低減の観点からは、フィルターが小型化されることが望ましい。
本発明の課題は、フィルターを小型化することができる空気調和機の室内機を提供することにある。
【課題を解決するための手段】
【０００５】
第１発明の空気調和機の室内機は、熱交換器と、本体ケーシングと、パネル部と、送風装置と、フィルターとを備える。熱交換器は、通過する空気との間で熱交換を行う。本体ケーシングは、熱交換器を収納する内部空間と、内部空間に吸い込まれる空気が通る内部吸込み口とを有する。パネル部は、内部吸込み口を覆うように本体ケーシングに取り付けられて、本体ケーシングとの間に内部吸込み口よりも小さい断面積を有する空気通路を形成し、空気通路へ吸い込まれる空気が通る第１外部吸込み口を有する。送風装置は、外部から第１外部吸込み口を通って空気通路へ吸い込まれ、空気通路から内部吸込み口を通って内部空間へと吸い込まれる空気の流れを生成する。フィルターは、空気通路において本体ケーシングとパネル部との間に亘って設けられる。
【０００６】
この空気調和機の室内機では、フィルターは、本体ケーシングの内部吸込み口に沿って設けられるのではなく、空気通路において本体ケーシングとパネル部との間に亘って設けられる。空気通路は、内部吸込み口よりも小さい断面積を有するため、本体ケーシングの内部吸込み口に沿って設けられる場合よりも小さなフィルターで空気通路を通る空気を清浄化することができる。これにより、この空気調和機の室内機では、フィルターを小型化することができる。
【０００７】
第２発明の空気調和機の室内機は、第１発明の空気調和機の室内機であって、本体ケーシングは、外部から内部空間に吸い込まれる空気が通る第２外部吸込み口を有している。そして、フィルターは、第１フィルター部と第２フィルター部とを有する。第１フィルター部は、第２外部吸込み口に沿って設けられる。第２フィルター部は、第１フィルター部と一体に繋がっており、空気通路において本体ケーシングとパネル部との間に亘って設けられる。
【０００８】
この空気調和機の室内機では、第１フィルター部と第２フィルター部とが一体に繋がっている。このため、第２外部吸込み口から吸い込まれる空気と内部吸込み口から吸い込まれる空気とを１つのフィルターで清浄化することができ、部品点数を削減することができる。これにより、この空気調和機の室内機では、部品点数を削減することができると共に、フィルターを小型化することができる。
【０００９】
第３発明の空気調和機の室内機は、第１発明または第２発明の空気調和機の室内機であって、内部吸込み口は、本体ケーシングの前面に設けられている。そして、パネル部は、内部吸込み口の前方に内部吸込み口の高さ方向寸法よりも小さな距離を隔てて設けられている。
この空気調和機の室内機では、パネル部は、内部吸込み口の前方に内部吸込み口の高さ方向寸法よりも小さな距離を隔てて設けられているため、パネル部と本体ケーシングとの間に形成される空気通路の断面積が、内部吸込み口よりも小さくなっている。そして、フィルターが本体ケーシングとパネル部とに亘って設けられることにより、フィルターを小型化することができる。
【００１０】
第４発明の空気調和機の室内機は、第１発明から第３発明のいずれかの空気調和機の室内機であって、フィルターは、本体ケーシングに固定されている。また、フィルターの先端は、本体ケーシングの表面から離れて設けられパネル部に当接している。
この空気調和機の室内機では、フィルターが本体ケーシングに固定され、フィルターの先端が本体ケーシングの表面から離れてパネル部に当接することにより、本体ケーシングとパネル部との間に亘ってフィルターが設けられる。
【発明の効果】
【００１１】
第１発明の空気調和機の室内機では、フィルターは、本体ケーシングの内部吸込み口に沿って設けられるのではなく、空気通路において本体ケーシングとパネル部との間に亘って設けられる。空気通路は、内部吸込み口よりも小さい断面積を有するため、本体ケーシングの内部吸込み口に沿って設けられる場合よりも小さなフィルターで空気通路を通る空気を清浄化することができる。これにより、この空気調和機の室内機では、フィルターを小型化することができる。
【００１２】
第２発明の空気調和機の室内機では、第１フィルター部と第２フィルター部とが一体に繋がっている。このため、第２外部吸込み口から吸い込まれる空気と内部吸込み口から吸い込まれる空気とを１つのフィルターで清浄化することができ、部品点数を削減することができる。これにより、この空気調和機の室内機では、部品点数を削減することができると共に、フィルターを小型化することができる。
【００１３】
第３発明の空気調和機の室内機では、パネル部は、内部吸込み口の前方に内部吸込み口の高さ方向寸法よりも小さな距離を隔てて設けられているため、パネル部と本体ケーシングとの間に形成される空気通路の断面積が、内部吸込み口よりも小さくなっている。そして、フィルターが本体ケーシングとパネル部とに亘って設けられることにより、フィルターを小型化することができる。
【００１４】
第４発明の空気調和機の室内機では、フィルターが本体ケーシングに固定され、フィルターの先端が本体ケーシングの表面から離れてパネル部に当接することにより、本体ケーシングとパネル部との間に亘ってフィルターが設けられる。
【発明を実施するための最良の形態】
【００１５】
＜構成＞
本発明の一実施形態に係る空気調和機１の室内機２を図１に示す。この空気調和機１の室内機２は、室内の壁面に設置されており、室外に設置される室外機３と冷媒配管４によって繋がれている。この室内機２と室外機３とは、図示しない冷媒回路を構成している。
室内機２の側面断面図を図２に示す。室内機２は、送風ファン５と、室内熱交換器６と、ケーシング７と、フィルター８とを備えている。
【００１６】
〔送風ファン５〕
送風ファン５は、中心軸が水平方向に平行になるように配置されたクロスフローファンである。送風ファン５は、長細い円筒形状を有しており、その周面には羽根が設けられている。送風ファン５は、図示しないファンモータによって回転駆動されて空気流を生成する。送風ファン５は、側面視において室内機２の概ね中央に位置している。
【００１７】
〔室内熱交換器６〕
室内熱交換器６は、通過する空気との間で熱交換を行う。室内熱交換器６は、側面視において逆Ｖ字型の形状を有しており、送風ファン５の上方および前方を覆うように配置される。室内熱交換器６は、第１熱交換部６１、第２熱交換部６２、第３熱交換部６３を有する。
【００１８】
第１熱交換部６１は、平坦な板状の外形を有しており、送風ファン５の後部上方に配置されている。第１熱交換部６１は、後側が下方に位置し前側が上方に位置するように傾斜して配置されている。第１熱交換部６１の下端は送風ファン５の後方に位置している。
第２熱交換部６２は、平坦な板状の外形を有しており、送風ファン５の前部上方に配置されている。第２熱交換部６２は、後側が上方に位置し前側が下方に位置するように傾斜して配置されており、その上端部は第１熱交換部６１の上端部に繋がっている。
第３熱交換部６３は、平坦な板状の外形を有しており、送風ファン５の前方に配置されている。第３熱交換部６３は、鉛直方向に沿って配置されており、その上端部は第２熱交換部６２の下端部に繋がっている。第３熱交換部６３の下端部は、送風ファン５の下端部と概ね同じ高さに位置している。
【００１９】
〔ケーシング７〕
ケーシング７は、図３に示すように、水平方向に長い外形を有しており、本体ケーシング７１と前面パネル７２とを有している。
【００２０】
〈本体ケーシング７１〉
本体ケーシング７１は、送風ファン５や室内熱交換器６を収容する内部空間７５を有しており、底フレーム７３と前面グリル７４とを有する。
底フレーム７３は、送風ファン５及び室内熱交換器６を支持する樹脂製の部材である。底フレーム７３の前後方向の中央部には、送風ファン５を収納するファン収納部７６が設けられている。底フレーム７３の底面前部には、室内へ吹き出される空気が通る吹出し口７７が設けられており、底フレーム７３の内部には、吹出し口７７とファン収納部７６とを連通させる吹き出し通路７８が設けられている。
【００２１】
前面グリル７４は、底フレーム７３の前側に設けられ、底フレーム７３の前方、側方および上方を覆う樹脂製の部材である。前面グリル７４の前面は鉛直方向に概ね平行となっており、前面グリル７４の上面は、滑らかに湾曲して前面に繋がっている。前面グリル７４には、内部吸込み口７９と上部吸込み口９１とが設けられている。内部吸込み口７９は、前面グリル７４の前面に設けられ、格子状に仕切られた複数の開口から構成されている。内部吸込み口７９には、前面グリル７４と前面パネル７２との間に形成された空気通路９２（後述）から内部空間７５に吸い込まれる空気が通る。内部吸込み口７９は、室内熱交換器６の第３熱交換部６３に対向している。また、内部吸込み口７９には、後述するフィルター８のリブ８１の下方への移動を規制する第１係止爪９３が設けられている。上部吸込み口９１は、前面グリル７４の上面の後端部から前端部までに亘って設けられた複数のスリットからなる開口であり、外部から内部空間７５へと吸い込まれる空気が通る。
【００２２】
〈前面パネル７２〉
前面パネル７２は、前面グリル７４の前側に設けられ前面グリル７４の前方を覆う樹脂製の部材であり、前側表面が比較的平坦な形状となっている。前面パネル７２は、内部吸込み口７９の前方を覆うように前面グリル７４に取り付けられており、本体ケーシング７１との間に空気通路９２を形成する。前面パネル７２は、内部吸込み口７９の前方に内部吸込み口７９の高さ方向寸法よりも小さな距離を隔てて設けられているため、空気通路９２は鉛直方向に細長い形状の空間となっている。このため、空気通路９２の断面積（空気の流れ方向に垂直な平面における断面）は、内部吸込み口７９の面積よりも小さくなっている。また、前面パネル７２には、前部吸込み口９４が設けられている。前部吸込み口９４は、外部から空気通路９２へと吸い込まれる空気が通る開口である。前部吸込み口９４は、前面パネル７２の前面上部に設けられており、内部吸込み口７９よりも上方に位置している。また、前部吸込み口９４の下方には、後述するフィルター８の先端が係止する第２係止爪９５が設けられている。第２係止爪９５は、フィルター８の先端の上方への移動を規制する。なお、前面パネル７２の下部や側面には開口は設けられておらず、空気通路９２の下方および側方は閉じられている。
【００２３】
室内の空気は、前部吸込み口９４を通って空気通路９２へ吸い込まれ、空気通路９２から内部吸込み口７９を通って内部空間７５へと吸い込まれる。また、室内の空気は、上部吸込み口９１からも内部空間７５に吸い込まれる。そして、内部空間７５に吸い込まれた空気は、室内熱交換器６において温度調整され、吹き出し通路７８を通って吹出し口７７から室内へと吹き出される。
【００２４】
〔フィルター８〕
フィルター８は、通過する空気を清浄化する部材であり、柔軟な樹脂製のフレームを有している。フィルター８は、本体ケーシング７１に取り付けられていない状態においては、平坦な板状の外形を有しており、屈曲させて本体ケーシング７１に取り付けることによって、図２に示す形状となる。このフィルター８は、第１フィルター部８２と第２フィルター部８３とを有している。
【００２５】
第１フィルター部８２は、上部吸込み口９１の内側に沿って設けられており、図示しない係止爪によって前面グリル７４に固定されている。第１フィルター部８２は、前面グリル７４の上面の形状に沿って緩やかに湾曲した形状となっており、前側部分は前面グリル７４の前面に達している。
第２フィルター部８３は、第１フィルター部８２の前側部分と一体に繋がっており、第１フィルター部８２と所定角度を成している。第１フィルター８と第２フィルター８とは、上部吸込み口９１の前側端部と対向する位置近傍において繋がっている。第２フィルター部８３は、前面グリル７４の表面から離れて空気通路９２を横切るように設けられており、前面グリル７４と前面パネル７２との間に亘って設けられている。このため、フィルター８は、前側部分が前面グリル７４の表面から離れるように屈曲した外形を有している。なお、第２フィルター８の前端部すなわちフィルター８の前端部は、前面グリル７４の表面から離れて前面パネル７２の内面に当接している。また、第２フィルター部８３の前端部は、上部吸込み口９１の下方に位置していると共に、内部吸込み口７９の上部に対向している。第２フィルター８の前端部は、前面パネル７２に設けられた第２係止爪９５に下方から係止している。また、第２フィルター部８３の下面であって第１フィルター部８２との接続部近傍部分には、リブ８１が設けられており、リブ８１は前面グリル７４に設けられた第１係止爪９３に上方から係止している。
【００２６】
＜特徴＞
この空気調和機１の室内機２では、フィルター８が内部吸込み口７９を覆うように前面グリル７４の表面に沿って設けられるのではなく、前面グリル７４の表面から離れて空気通路９２を横切るように前面グリル７４と前面パネル７２とに亘って設けられている。このため、フィルター８は、内部吸込み口７９を覆うように設けられる場合よりも小さくなっている。これにより、この空気調和機１では、フィルター８を小型化することができる。
また、フィルター８を小型化することができることにより、フィルター８に必要な材料を削減することができ、コストを削減することができる。
【００２７】
＜他の実施形態＞
（Ａ）
上記の実施形態では、第１フィルター部８２と第２フィルター部８３とが一体とされているが、第１フィルター部８２と第２フィルター部８３とが別体とされてもよい。ただし、部品点数削減や取付工数削減の観点からは、第１フィルター部８２と第２フィルター部８３とは一体とされることが望ましい。
【００２８】
（Ｂ）
上記の実施形態では、フィルター８は前面グリル７４側に固定されているが、前面パネル７２側に固定されてもよい。
（Ｃ）
上記の実施形態では、平坦な板状のフィルター８を屈曲させて本体ケーシング７１に取り付けているが、フィルター８が本体ケーシング７１に取り付けられていない状態において屈曲した形状となっていてもよい。
【産業上の利用可能性】
【００２９】
本発明は、フィルターを小型化することができる効果を有し、空気調和機の室内機として有用である。
【図面の簡単な説明】
【００３０】
【図１】空気調和機の全体図。
【図２】室内機の側面断面図。
【図３】ケーシングの外観斜視図。
【図４】従来のフィルターの取付を示す図。
【符号の説明】
【００３１】
１        空気調和機
２        室内機
５        送風ファン（送風装置）
６        室内熱交換器（熱交換器）
８        フィルター
７１      本体ケーシング
７２      前面パネル（パネル部）
７５      内部空間
７９      内部吸込み口
８２      第１フィルター部
８３      第２フィルター部
９１      上部吸込み口（第２外部吸込み口）
９２      空気通路
９４      前部吸込み口（第１外部吸込み口）
【図１】
2007205676.tif 000003
【図２】
2007205676.tif 000004
【図３】
2007205676.tif 000005
【図４】
2007205676.tif 000006